(57)【要約】【課題】  順次ジョブにおいて、送信失敗が生じたことをユーザに明確に分からせることができるファクシミリ装置、それを搭載した画像形成装置及びファクシミリ装置の表示制御方法を提供するもの。【解決手段】  送信先が複数となる順次同報を行うファクシミリ装置において、データを蓄積する記憶部と、複数の相手先に発呼して前記蓄積されたデータを発信する送信手段と、複数の宛先それぞれに対しての送信結果が成功か又は失敗かを判別する判別手段と、前記判別手段の判別結果を前記宛先と関連付けて保持する送信結果保持手段と、送信動作終了後に、前記送信結果保持手段に保持された送信結果が、すべての宛先について成功した場合と、１以上の宛先について送信失敗した場合とで異なる表示を行う送信結果表示手段とを備えたファクシミリ装置である。【選択図】図１
2019140458.tif 000002
【特許請求の範囲】
【請求項１】
複数の宛先に順次同報通信を行うファクシミリ装置において、
データを蓄積する記憶部と、
複数の宛先に発呼して前記蓄積されたデータを発信する送信手段と、
前記複数の宛先それぞれに対しての送信結果が成功か又は失敗かを判別する判別手段と、
前記判別手段の判別結果を前記宛先と関連付けて保持する送信結果保持手段と、
送信動作終了後に、前記送信結果保持手段に保持された送信結果が、すべての宛先について成功した場合と、１以上の宛先について送信失敗した場合とで異なる表示を行う送信結果表示手段とを備えたことを特徴とするファクシミリ装置。
【請求項２】
前記送信結果表示手段は、送信結果がすべての宛先について成功した場合、その成功の旨を表示し、一方、１以上の宛先について送信失敗した場合、全宛先数と送信失敗の旨を表示するものであることを特徴とするファクシミリ装置。
【請求項３】
宛先とその送信結果を表示する詳細表示手段を備え、
前記送信結果表示手段は、１以上の宛先について送信失敗した場合、全宛先数と送信失敗の旨を表示すると共に、前記詳細表示手段に前記宛先とその送信結果を表示させることを促す表示又は報知をすることを特徴とする請求項２に記載のファクシミリ装置。
【請求項４】
請求項１から３のうちの１項に記載のファクシミリ装置を搭載した画像形成装置。
【請求項５】
複数の宛先に順次同報通信を行うファクシミリ装置の表示制御方法において、
データを第１の記憶手段に蓄積する記憶行程と、
複数の宛先に発呼して前記第１の記憶手段に蓄積されたデータを発信する送信行程と、
前記複数の宛先それぞれに対しての送信結果が成功か又は失敗かを判別する判別工程と、
前記判別行程の判別結果を前記宛先と関連付けて第２の記憶手段に保持する送信結果保持行程と、
送信動作終了後に、前記第２の記憶手段に保持された送信結果が、すべての宛先について成功した場合と、１以上の宛先について送信失敗した場合とで異なる表示を行う送信結果表示行程とを含むことを特徴とするファクシミリ装置の表示制御方法。
【発明の詳細な説明】
【技術分野】
【０００１】
本発明はファクシミリ装置、それを搭載した画像形成装置及びファクシミリ装置の表示制御方法に関する。
【背景技術】
【０００２】
従来、ファクシミリ装置には、端末に同報通信機能を設置し、この同報通信機能によって、複数の相手先に記憶装置に蓄積された同じ内容の画像情報を送信するものがある。
【０００３】
前記同報通信機能においては、送信先の宛先が複数となる順次ジョブ（順次同報、順次ポーリング）通信により、前記複数の相手先に同じ内容の画像情報を送信した時に、一部の相手先が通信エラーやビジーで未達になる場合がある。実行結果を表示する画面では、
例えば”ＸＸＸ／ＹＹＹ  ＯＫ”  （ＸＸＸ：送信成功宛先数、ＹＹＹ：全宛先数）
と表示しており、ＮＧ（送信失敗）があっても、ＯＫ（送信成功）の数だけ表示するようになっている。
【０００４】
前記のように、１行で結果を表しており、送信成功宛先数≠全宛先数の場合は失敗した宛先があることが分かるが、”ＮＧ”の表示がないため、失敗した宛先がないとユーザが勘違いする恐れが考えられる。
【０００５】
前記の同報通信機能に関して、特許文献１では、複数の宛先にファクシミリ送信した際に、各宛先に対する送信結果を判別し、全宛先数と「送信成功した宛先数とを送信結果として表示するものであるが、送信失敗の宛先数の表示がないので、結局、ユーザが勘違いする恐れを無くすことができない。
【０００６】
これらに対して、順次ジョブも１つ１つの宛先に展開して、単宛先ジョブと区別なく表示していることが考えられるが、これは詳細を確認できるが、同報宛先数が多いと他のジョブとの区別が付き難く対象ジョブを見つけ難いという欠点がある。
【先行技術文献】
【特許文献】
【０００７】
【特許文献１】実開平４−８５７２号公報
【発明の概要】
【発明が解決しようとする課題】
【０００８】
本発明は、斯かる実情に鑑み、順次ジョブにおいて、送信失敗が生じたことをユーザに明確に分からせることができるファクシミリ装置、それを搭載した画像形成装置及びファクシミリ装置の表示制御方法を提供しようとするものである。
【課題を解決するための手段】
【０００９】
本発明は、複数の宛先に順次同報通信を行うファクシミリ装置において、
データを蓄積する記憶部と、
複数の宛先に発呼して前記蓄積されたデータを発信する送信手段と、
前記複数の宛先それぞれに対しての送信結果が成功か又は失敗かを判別する判別手段と、
前記判別手段の判別結果を前記宛先と関連付けて保持する送信結果保持手段と、
送信動作終了後に、前記送信結果保持手段に保持された送信結果が、すべての宛先について成功した場合と、１以上の宛先について送信失敗した場合とで異なる表示を行う送信結果表示手段とを備えたことを特徴とするファクシミリ装置である。
【００１０】
本発明において、前記送信結果表示手段は、送信結果がすべての宛先について成功した場合、その成功の旨を表示し、一方、１以上の宛先について送信失敗した場合、全宛先数と送信失敗の旨を表示するものが好適である。
【００１１】
本発明において、宛先とその送信結果を表示する詳細表示手段を備え、
前記送信結果表示手段は、１以上の宛先について送信失敗した場合、全宛先数と送信失敗の旨を表示すると共に、前記詳細表示手段に前記宛先とその送信結果を表示させることを促す表示又は報知をすることが好適である。
【００１２】
本発明は、前記のうちの１つの記載のファクシミリ装置を搭載したことを特徴とする画像形成装置である。
また、本発明は、複数の宛先に順次同報通信を行うファクシミリ装置の表示制御方法において、
データを第１の記憶手段に蓄積する記憶行程と、
複数の宛先に発呼して前記第１の記憶手段に蓄積されたデータを発信する送信行程と、
前記複数の宛先それぞれに対しての送信結果が成功か又は失敗かを判別する判別工程と、
前記判別行程の判別結果を前記宛先と関連付けて第２の記憶手段に保持する送信結果保持行程と、
送信動作終了後に、前記第２の記憶手段に保持された送信結果が、すべての宛先について成功した場合と、１以上の宛先について送信失敗した場合とで異なる表示を行う送信結果表示行程とを含むことを特徴とするファクシミリ装置の表示制御方法である。
【発明の効果】
【００１３】
本発明のファクシミリ装置、それを搭載した画像形成装置及びファクシミリ装置の表示制御方法によれば、送信動作終了後に、前記送信結果保持手段に保持された送信結果が、すべての宛先について成功した場合と、１以上の宛先について送信失敗した場合とで異なる表示を行う送信結果表示手段を備えているので、同報ジョブにおいて、送信失敗が生じたことをユーザに明確に分からせることができるという優れた効果を奏し得る。
【図面の簡単な説明】
【００１４】
【図１】本発明に係るファクシミリ装置の一実施形態が搭載された複合機のフロック図である。
【図２】前記実施形態に係るファクシミリ装置の完了ジョブ状況画面の表示処理に関するフローチャートである。
【図３】前記実施形態に係るファクシミリ装置の結果記録／結果表示画面更新に関するフローチャートである。
【図４】ファクシミリ装置の送信結果表示手段におけるジョブ状況イメージの例の説明図であり、従来のファクシミリ装置においての送信完了キュー画面である。
【図５】前記送信結果表示手段におけるジョブ状況イメージの例の説明図であり、実施形態に係るファクシミリ装置においての送信完了キュー画面である。
【図６】前記実施形態に係るファクシミリ装置において完了表示画面の例の説明図であり、送信失敗し、詳細表示を促す画面例である。
【図７】前記完了表示画面の例の説明図であり、詳細表示の画面例である。
【図８】図６と同じく送信失敗があった完了表示画面の例であり、宛先毎の送信の詳細を示す説明図である。
【図９】従来のファクシミリ装置における通信記録表の例を示す説明図である。
【図１０】実施形態に係るファクシミリ装置における通信記録表の例を示す説明図である。
【発明を実施するための形態】
【００１５】
以下、本発明の実施形態について添付図面を参照して説明する。
【００１６】
図１は、本実施形態に係るファクシミリ装置の一例として、ファクシミリ機能付き複合機（（「ファクシミリ装置」に相当）の構成を示すブロック図である。同図において、複合機１００は、主制御部１１、原稿読取部１２、印字部１３、操作表示部１４、記憶部１５、符号／復号部１７、時計部１８及び通信部１９等を備えて構成されている。これらの各部は、バス１６を介して接続されている。また、前記通信部１９は通信回線を介して外部とデータの送受信を行う。また、前記複合機１００は、原稿読取部１２、印字部１３等を備えるので画像形成装置の機能も有する。
【００１７】
実施形態に係る前記複合機１００は、画像データ（「データ」の例：ジョブ）を複数の送信先に順次同報（順次ジョブ、順次ポーリング）を行うことができるファクシミリ機能を有している。
【００１８】
前記複合機１００において、前記原稿読取部１２は、ＣＣＤ（Charge Coupled Device）などの光学センサを有しており、前記主制御部１１の制御に従って光学センサにて所定の解像度で原稿画像の読取を行い、送信用の画像データを取得する。前記原稿読取部１２で読取って取得した画像データは、前記記憶部１５に記憶される。
【００１９】
前記印字部１３は、半導体レーザやＬＥＤ（Light Emitting Diode）等の光源、トナーを付着させるための感光ドラム、並びにトナーを熱及び圧力で印刷用紙へ転写して定着させる定着器等を有しており、通信回線を介したファクシミリ通信にて他のファクシミリ装置から受信した画像を印刷用紙などの媒体に画像形成（印刷）する。ファクシミリ通信にて受信した画像のデータは前記記憶部１５に記憶され、前記印字部１３は前記記憶部１５から読みだされた画像データにより、画像の印刷を行う。
【００２０】
前記操作表示部１４は、スタートキー、テンキー及び各種のファンクションキー等のユーザの操作を受け付ける種々のキーを備えている。前記複合機１００を使用するユーザは、前記操作表示部１４のキーを操作することによって、送信先の入力、完了ジョブ通信の詳細表示させる指示入力、原稿を読取る解像度の設定及び通信結果の確認等の種々の操作を行うことができる。前記操作表示部１４は、ユーザによるキー操作を受け付けた場合に前記主制御部１１へ操作内容を表す信号を送り、これにより前記主制御部１１はユーザの操作に応じた処理を行う。
【００２１】
また、前記操作表示部１４は、ＬＣＤ（Liquid Crystal Display）又はＥＬ（Electro
-luminescence）パネル等の表示部を有しており、前記主制御部１１の制御に応じて文字及び画像等を表示する。また、前記操作表示部１４は、例えば前記複合機１００を操作するための設定項目及びメニュー、前記複合機１００の動作状態、後述するように、通信状況の表示、例えば全宛先の送信成功の場合の送信成功数／全宛先数、送信失敗の場合の送信失敗（ＮＧ）表示、送信宛先一覧等の詳細表示、並びに各種の警告メッセージ等を表示する。更に、前記操作表示部１４の表示部がタッチパネルによって覆われた機種もある。
【００２２】
前記記憶部１５は、ＤＲＡＭ（Dynamic Random Access Memory）又はフラッシュメモリ等のデータ書き換え可能な大容量のメモリ素子で構成されており、前記原稿読取部１２が読取った画像又はファクシミリ通信により受信した画像等のデータを一時的に記憶する。また、前記記憶部１５がフラッシュメモリなどの不揮発性のメモリ素子で構成されている場合、又は前記記憶部１５がマスクＲＯＭ（Read Only Memory）、又はＥＥＰＲＯＭ（Electrically Erasable Programmable ROM）等の不揮発性メモリを更に有している場合には、前記記憶部１５は前記主制御部１１が実行する各種のプログラム及びテーブルなどのデータを予め記憶している。
【００２３】
前記符号／復号部１７は、前記原稿読取部１２が読取って取得した画像データに対して予め定められた形式の符号化を行うことによって、ファクシミリ通信により送信すべき画像データのデータ量を低減する。また、ファクシミリ通信により他のファクシミリ装置から符号化された画像データを受信し、これを復号して元の形式に戻す処理（画像形成に係る処理）を行う。すなわち、前記符号／復号部１７は、前記主制御部１１の制御に応じて、前記原稿読取部１２が読取った送信用の画像データを符号化して前記記憶部１５へ記憶し、また受信した画像データを復号して前記印字部１３へ与える。
【００２４】
前記時計部１８は、時間を計測して前記主制御部１１へ通知する。前記時計部１８は、前記主制御部１１の制御により、計時の開始及び停止、並びに計時した時間のリセット等が制御される。
【００２５】
前記通信部１９は、前記通信回線を介して他のファクシミリ装置との間でデータの送受信を行うものであり、ネットワーク制御部（ＮＣＵ：Network Control Unit）２０及びモデム２１を有している。ＮＣＵ２０は、アナログの公衆電話回線網などの通信回線の閉結及び開放の回線制御を行うものであり、前記主制御部１１の制御に応じて前記モデム２１を通信回線に接続する。また前記ＮＣＵ２０は、予め定められたファクシミリ通信のプロトコルに従って、画像データ及び制御信号等の送受信を行うと共に、ファクシミリ通信の自動発呼処理及び自動着呼処理を行う。
【００２６】
前記モデム２１は、ファクシミリ通信の規格に基づいて、送信用の画像データを通信回線での伝達に適した形式のアナログ信号に変調すると共に、他のファクシミリ装置からのアナログ信号を復調して画像データを取得する。また、受信信号から通信品質を示すＥＱＭ値を検出したり、通信障害を判定できる信号を検出したりする。
【００２７】
これらにより前記複合機１００は、前記原稿読取部１２にて原稿を読取って送信用の画像データを取得し、この画像データを前記符号／復号部１７にて符号化することでデータ量を低減し、前記通信部１９にて通信回線を介して他のファクシミリ装置へ送信（ジョブの送信）することができる。また、通信回線を介して他のファクシミリ装置からのデータを受信した場合、前記複合機１００は、前記通信部１９にて受信データを復調して画像データを取得し、この画像データを前記符号／復号部１７にて復号し、前記印字部１３にて印刷用紙に画像を印刷することができる。
【００２８】
実施形態の前記複合機１００は送信先が複数となる順次同報（順次ジョブ、順次ポーリング）を行うファクシミリ装置の機能を有している。
【００２９】
前記複合機１００は、前記画像データを蓄積する前記記憶部１５と、複数の相手先に発呼して前記蓄積されたデータを発信する前記通信部（送信手段に相当）１９とを有する他、前記主制御部１１は、複数の宛先それぞれに対しての送信結果が成功か又は失敗かを判別する判別手段３０と、前記判別手段３０の判別結果を前記宛先と関連付けて保持する（記憶する）送信結果保持手段３１と、送信動作終了後に、前記送信結果保持手段３１に保持された送信結果が、すべての宛先について成功した場合と、１以上の宛先について送信失敗した場合とで異なる表示を前記操作表示部１４に行う送信結果表示手段３２とを備えている。前記送信結果保持手段３１は、送信結果を前記記憶部１５に記憶させてもよい。
【００３０】
前記送信結果表示手段３２は、送信結果がすべての宛先について成功した場合、その成功の旨を表示し、一方、１以上の宛先について送信失敗した場合、全宛先数と送信失敗の旨を前記操作表示部１４に表示する。
【００３１】
また、前記操作表示部１４は、前記宛先とその送信結果を表示する詳細表示手段であり、前記送信結果表示手段３２は、１以上の宛先について送信失敗した場合、前記操作表示部１４に全宛先数と送信失敗の旨を表示すると共に、前記操作表示部１４に前記宛先とその送信結果を表示させることを促す表示又は報知をする。前記操作表示部１４の表示画面についての例は後述する図４〜図６に示すものになる。また送信記録は従来が図９に、本実施形態が図１０に示すようになる。
【００３２】
前記複合機（ファクシミリ装置）１００の詳細な制御を図２、図３に基づき説明する。
【００３３】
〔完了ジョブの状況画面の表示処理に関するフロー〕
図２はファクシミリ機能において、完了ジョブ状況画面の表示処理に関するフローである。
【００３４】
図２に示すように、まず、表示対象のジョブの通信状況を検出する（ステップ１００（以下「Ｓ１００」等と略記する）
【００３５】
前記操作表示部１４に、通信種類、宛先名を表示する（Ｓ１１０）。
【００３６】
次いで、スタート時間を表示し（Ｓ１２０）、ページ数を表示し（Ｓ１３０）、表示対象のジョブが同報ジョブか否かを判定する（Ｓ１４０）。
【００３７】
判定結果が正であり、つまり、前記ジョブが同報ジョブであれば（Ｓ１４０：Ｙｅｓ）、前記同報ジョブの全宛先に通信（送信）が成功したか否かを判定する（Ｓ１５０）。
【００３８】
一方、前記Ｓ１４０の判定において、判定結果が非であり、つまり、前記ジョブが同報ジョブでないならば（Ｓ１４０：Ｎｏ）、状況表示欄に通信結果を表示し（Ｓ１６０）、終了する（ＥＮＤ）。
【００３９】
前記Ｓ１５０の判定において、全宛先への通信に成功したならば（Ｓ１５０：Ｙｅｓ）、前記操作表示部１４の状況表示欄に”通信成功数／全宛先数”を表示し（Ｓ１７０）、終了する（ＥＮＤ）。
【００４０】
一方、前記Ｓ１５０の判定において、全宛先への通信に成功せず、１以上の宛先への通信が失敗したならば（Ｓ１５０：Ｎｏ）、前記操作表示部１４の状況表示欄に”−−−−／全宛先数  ＮＧ”と表示する（Ｓ１８０）（「−−−−」は、送信失敗数を示す）。
【００４１】
従って、前記操作表示部１４には、送信結果表示手段として、送信結果がすべての宛先について成功した場合（Ｓ１５０：Ｙｅｓ）、その成功の旨を表示し（Ｓ１７０）、終了する（ＥＮＤ）。一方、１以上の宛先について送信失敗した場合（Ｓ１５０：Ｎｏ）、全宛先数と送信失敗の旨（ＮＧ）を表示するものである（Ｓ１８０）。
【００４２】
そして、詳細結果の表示（前記宛先とその送信結果を表示）を促す詳細キーを前記操作表示部１４（詳細表示手段に相当）表示する（Ｓ１９０）。
【００４３】
次いで、詳細キーを押されたか否かを判定し（Ｓ２００）、押された場合に（Ｓ２００：Ｙｅｓ）、同報ジョブの完了詳細表示を行い（Ｓ２１０）、終了する（ＥＮＤ）。
【００４４】
一方、前記詳細キーが押されなければ（Ｓ２００：Ｎｏ）、詳細表示をせず、終了する（ＥＮＤ）。
【００４５】
〔結果記録・結果表示画面の更新に関するフロー〕
図３は、ファクシミリ装置のジョブの結果記録／結果表示画面の更新に関するフローチャートである。
【００４６】
図３に示すように、まず、送受信ジョブの実行状態を検出し（Ｓ３００）、発着信ジョブに変化があるか否かを判定する（Ｓ３１０）。
【００４７】
Ｓ３１０の判定結果が正で、前記発着信ジョブに変化があれば（Ｓ３１０：Ｙｅｓ）、発信ジョブの変化か否かを判定する（Ｓ３２０）。一方、前記発着信ジョブに変化がなければ（Ｓ３１０：Ｎｏ）、終了する（ＥＮＤ）。
【００４８】
前記Ｓ３２０の判定結果が正で、変化したのが前記発信ジョブの変化であれば（Ｓ３２０：Ｙｅｓ）、送信ジョブ状況の表示の更新を行う（Ｓ３３０）。次いで、発信ジョブが終了したか否かを判定し（Ｓ３４０）、前記発信ジョブが終了していれば（Ｓ３４０：Ｙｅｓ）、終了した発信ジョブが同報ジョブか否かを判定する（Ｓ３５０）。
【００４９】
次いで、前記発信ジョブが同報ジョブであれば（Ｓ３５０：Ｙｅｓ）、全宛先への送信が終了したか否かを判定し（Ｓ３６０）、全宛先への送信が終了したならば（Ｓ３６０：Ｙｅｓ）、通信履歴情報に送信終了を追記し（Ｓ３７０）、終了する（ＥＮＤ）。
【００５０】
一方、前記Ｓ３４０において、前記発信ジョブが終了していない（Ｓ３４０：Ｎｏ）、前記Ｓ３５０において、前記発信ジョブが同報ジョブではない（Ｓ３５０：Ｎｏ）、前記Ｓ３６０において、全宛先への送信が終了していない（Ｓ３６０：Ｎｏ）の何れかであれば、終了する（ＥＮＤ）。
【００５１】
ここで、前記Ｓ３２０が否で、前記発信ジョブの変化ではないならば（Ｓ３２０：Ｎｏ）、受信ジョブ状況の表示の更新を行う（Ｓ３８０）。次いで、着信ジョブが終了したか否かを判定し（Ｓ３９０）、前記着信ジョブが終了しているならば（Ｓ３９０：Ｙｅｓ）、通信履歴情報に受信終了を追記し（Ｓ４００）、終了する（ＥＮＤ）。一方、着信ジョブが終了していないならば（Ｓ３９０：Ｎｏ）、終了する（ＥＮＤ）。
【００５２】
前記実施形態に係るファクシミリ装置における前記操作表示部１４の表示例を説明する。
【００５３】
図４、図５は、ファクシミリ装置の送信結果表示手段におけるジョブ状況イメージの例の説明図であり、図４が従来のファクシミリ装置においての送信完了キュー画面、図５が実施形態に係るファクシミリ装置においての送信完了キュー画面である。
【００５４】
図４に示すように、従来のファクシミリ装置においては、ジョブの順次同報について０１２３では、”０２２２／０２２２  ＯＫ”と全宛先について成功である旨が表示される。
【００５５】
しかしながら、他のジョブの順次同報０１２４の場合、通信状況が”０１２３／０７０１  ＯＫ”との表示になる。従来は全宛先数：０７０１に対して送信成功宛先数：０１２３になる。送信成功宛先数≠全宛先数であるので、よく見れば、失敗した宛先があることが分かるが、全宛先が成功しても一部宛先が失敗しても、結局、”ＯＫ”の表示がされ、”ＮＧ”の表示がないため、失敗した宛先がないとユーザが勘違いする恐れが考えられる。
【００５６】
これに対して、図５に示すように、本実施形態のファクシミリ装置においては、ジョブの順次同報について０１２３では、”０２２２／０２２２  ＯＫ”と全宛先について成功である旨が表示される。
【００５７】
一方、ジョブが順次同報０１２４の場合、通信状況が”−−−−／０７０１  ＮＧ”との表示になる（「−−−−」は、送信失敗数を示す）。全宛先数：０７０１に対して送信失敗の宛先が１以上あるので、送信失敗を示す”ＮＧ”を表示している。
【００５８】
従って、前記送信結果表示手段は、送信結果がすべての宛先について成功した場合、その成功の旨”ＯＫ”を表示し、一方、１以上の宛先について送信失敗した場合、全宛先数と送信失敗の旨を”ＮＧ”で表示するものである。
【００５９】
よって、”ＮＧ”表示によって送信に失敗があることが一目すれば分かりやすい。従って、誤りなく送信失敗が理解できる。
【００６０】
図６〜図８は、前記実施形態に係るファクシミリ装置において完了表示画面の例の説明図であり、図６が送信失敗し、詳細表示を促す画面、図７が詳細表示の画面、図８が他の詳細表示の画面例である。
【００６１】
図６に示すように、ジョブが順次同報０１２４の場合、通信状況に”−−−−／０７０１  ＮＧ  詳細”との表示になる（「−−−−」は、送信失敗数）。”詳細” （詳細キー）の文字表示をすることよって詳細表示の操作を促している。また、右上に”受信データを確認する””受信データの転送エラーボックスを確認する”との表示をする。なお、この場合”詳細”の詳細キーをＮＧの場合のみ表示する例を説明しているが、そればかりではなく、すべての宛先について送信成功した場合や、中止、ビジーの場合に詳細キーが表示されるケースがあってもよい。
【００６２】
図７が詳細表示の画面例である。宛先”１”に関して、スタート時刻と送信状況が”ビジー”である旨が表示され、送信未達の理由が分かる。
【００６３】
図８には、図６と同じく送信失敗があった完了表示画面の例であり、宛先”１”についてはビジーであり、宛先”２”については送信成功である旨が表示される。また右上に”宛先一覧のすべてに再送信する”と説明がされる。
【００６４】
図９は、従来のファクシミリ装置における通信記録表の例を示す説明図、図１０は実施形態に係るファクシミリ装置における通信記録表の例を示す説明図である。なお、ジョブ００１〜は番号欄に示すジョブ番号である。
【００６５】
図９に示すように、従来の通信履歴では、まず、ジョブ００２の宛先が順次同報０１０１について、”２００件中２００件  ＯＫ”の全宛先成功を示す。
【００６６】
ジョブ０１１の宛先が順次同報０１１１について、”８０件中７２件  ＯＫ”の一部宛先失敗を示す。
【００６７】
ジョブ０１５の宛先が順次同報０１１５について、”５０件中４５件  ＯＫ”の一部宛先失敗を示す。
【００６８】
ジョブ０１７の宛先が順次ポーリング０１２０について、”２件中２件  ＯＫ”の全宛先成功を示す。
【００６９】
ジョブ０１９の宛先が中継同報０１２２について、”３０件中２１件  ＯＫ”の一部宛先失敗を示す。
【００７０】
上述のように従来は送信失敗の宛先があっても”ＯＫ”の表示があるので紛らわしい。
【００７１】
これに対し、実施形態では、図１０に示すように、通信履歴では、まず、ジョブ００２の宛先が順次同報０１０１について、”２００件中２００件  ＯＫ”の全宛先成功を示す。
【００７２】
ジョブ０１１の宛先が順次同報０１１１について、”８０件中８件  ＮＧ．  ８０件中７２件  ＯＫ”の一部宛先失敗を示す。
【００７３】
ジョブ０１５の宛先が順次同報０１１５について、”５０件中５件  ＮＧ．５０件中４５件  ＯＫ”の一部宛先失敗を示す。
【００７４】
ジョブ０１７の宛先が順次ポーリング０１２０について、”２件中２件  ＯＫ”の全宛先成功を示す。
【００７５】
ジョブ０１９の宛先が中継同報０１２２について、”３０件中９件  ＮＧ．３０件中２１件  ＯＫ”の一部宛先失敗を示す。
【００７６】
実施形態によれば、送信失敗の宛先数を示すので、従来のようにＯＫ表示しかない場合に比較して”ＮＧ”にて明確に送信失敗が分かり、誤りがない。
【００７７】
前記実施形態のファクシミリ装置によれば、送信動作終了後に、前記送信結果保持手段３１が前記記憶部１５に保持させた送信結果が、すべての宛先について成功した場合と、１以上の宛先について送信失敗した場合とで異なる表示を行う送信結果表示手段３２を備えることで同報ジョブ（順次ジョブ）において、送信失敗が生じたことをユーザに明確に分からせることができるという優れた作用効果を奏する。
【００７８】
前記実施形態では、本発明のファクシミリ装置の例として前記複合機を例示したが、ファクシミリの専用機や他の種の画像形成装置に搭載したものでもよい。
また、送信結果表示手段においては、画面表示による他、報知音や光の明滅によって送信結果を報知する機構も含むものである。
【産業上の利用可能性】
【００７９】
本発明のファクシミリ装置及びファクシミリ装置の表示制御方法は、ファクシミリ装置の専用機ばかりでなく、ファクシミリ機能を備えた複合機等の画像形成装置にも利用することができる。
【符号の説明】
【００８０】
１１  主制御部
１２  原稿読取部
１３  印字部
１４  操作表示部
１５  記憶部
１６  バス
１７  符号／復号部
１８  時計部
１９  通信部
２１  モデム
３０  判別手段
３１  送信結果保持手段
３２  送信結果表示手段
１００  複合機
【図１】
2019140458.tif 000003
【図２】
2019140458.tif 000004
【図３】
2019140458.tif 000005
【図４】
2019140458.tif 000006
【図５】
2019140458.tif 000007
【図６】
2019140458.tif 000008
【図７】
2019140458.tif 000009
【図８】
2019140458.tif 000010
【図９】
2019140458.tif 000011
【図１０】
2019140458.tif 000012